(57)【要約】【課題】  電気回路基板・ファームを共通化し、且つヘッド装着により自動的に機種設定や仕向け地設定がなされるようにすることで、工場での工程を短縮する。【解決手段】  ヘッドが装着されたことを検知する手段、装着されたヘッドのＩＤを検出する手段、検出したＩＤに応じて記録装置内の機能ブロック構成を識別する手段、複数のキャリッジポケットのそれぞれに装着されているヘッドのＩＤを取得し、予め記憶領域内に格納されているテーブルを参照して、記録装置のファームが該記録装置の機種を識別する手段を備える構成とする。【選択図】  図１
2007083442.tif 000002
【特許請求の範囲】
【請求項１】
動作の制御を行うCPU、制御手順を格納したROM、印字を行う着脱式のヘッドを備えた記録装置において、ヘッドが装着されたことを検知する手段、装着されたヘッドのＩＤを検出する手段、検出したＩＤに応じて記録装置内の機能ブロック構成を識別する手段、を有することを特徴とする記録装置。
【請求項２】
請求項1記載の記録装置において、ヘッドを装着するためのキャリッジポケットを複数個具備すること、を特徴とする記録装置。
【請求項３】
請求項2記載の記録装置において、複数のキャリッジポケットのそれぞれに装着されているヘッドのＩＤを取得し、予め記憶領域内に格納されているテーブルを参照して、記録装置のファームが該記録装置の機種を識別すること、を特徴とする記録装置。
【請求項４】
請求項3記載の記録装置において、テーブルは１つ或いは複数種のヘッドＩＤと、そのヘッドＩＤを複数あるキャリッジポケットのどのポケットから得たＩＤか、をパラメータとしている、ことを特徴とする記録装置。
【請求項５】
請求項４記載の記録装置において、前記ＩＤ情報を基に記録装置内の各機能ブロックの制御の設定を行う、ことを特徴とする記録装置。
【請求項６】
請求項5記載の記録装置において、記録領域には予め機種ごとの設定情報が格納されている、ことを特徴とする記録装置。
【請求項７】
請求項6記載の記録装置において、ヘッドを装着することで設定を行うモードへの移行方法は複数種類用意されている、ことを特徴とする記録装置。
【発明の詳細な説明】
【技術分野】
【０００１】
本発明は、着脱式のヘッド上に本体設定のための情報を有する記録装置に関する。
【背景技術】
【０００２】
記録装置は価格帯やユーザ要望の多様化により多数のバリエーションを用意することを求められている。しかしこれらを全て独立した設計で対応するとコスト、日程、人的パワーなどに大きな負荷となる。そのため装置の基本部分は共通設計とし、機能ブロックの交換やファームの変更で対応する場合がある。
【０００３】
例えば、印字スピードで差異を持たせる場合は、印字ヘッド、駆動モータ、及びファームのみを交換して別製品とすることが出来る。
【０００４】
また地域に関係した差異の例として、表示部の言語設定やデバイスＩＤがある。更にＦＡＸを例とすると、ＮＣＵ設定において終端インピーダンス、送出レベル、呼び出しパターンの検出方法も変更する必要がある。これらの変更は、各々に合わせて設計された機能ブロックを組み合わせたりファームの変更を必要とするため、工場で行われることが多い。
【０００５】
また記録装置以外での先行技術として次が挙げられる。これらは既にある機能の設定についてのみであり、機器を構成する機能ブロックが異なる場合には触れられていない。
【０００６】
特許文献１には、世界時計を有する電子カメラにおいて、電池の入れ換え時等における電池装填時においても、デフォルト都市の再設定を不要とすることを目的とし、所定の都市情報を記憶するための不揮発性メモリと、電池装填時に、前記不揮発性メモリから都市情報を読み出すための読み出し手段と、前記世界時計に対して、前記読み出し手段により読み出された都市情報を設定するための設定手段とが開示されている。
【０００７】
特許文献２には、予め設定されているセットの出荷エリアをメモリに記憶させておき、時刻セットする際に、購入先と上記出荷エリアとが一致している時には、その標準時刻がセットされる内容が開示されている。
【特許文献１】特開2002-156697
【特許文献２】特開平4-359185
【発明の開示】
【発明が解決しようとする課題】
【０００８】
前記従来例では次のような問題点がある。
【０００９】
１．予め用意されている複数の設定を仕向け地情報に基づいて選択する場合、入力作業はユーザ、或いは工場の工程で作業者が行うため、生産効率の低下、人的コストが発生する。
【００１０】
２．時間の設定は１つの特定の機能の設定であり、異なる機能ブロックが接続されている場合、それを認識させるものではない。
【００１１】
３．異なる機能ブロックが接続されている場合は共通のファームで対応出来ず、ファームの共通化が出来ない。
【００１２】
４．ＦＡＸ機のように仕向け地で設定が異なる場合はユーザが設定を行う場合があるが、ユーザが使用開始に至るまでに時間を要することになる。また、設定が不備な場合などはコールセンタで対応することとなり、ユーザもコールセンタも更に時間を要することとなる。
【００１３】
５．ＦＡＸ機のように仕向け地で設定が異なる場合、ユーザが設定の異なる地域へ転居した時は改めて設定を行う必要が生じ、ユーザに不便を強いる。
【００１４】
本発明では、上記問題点を解決する。
【課題を解決するための手段】
【００１５】
動作の制御を行うCPU、制御手順を格納したROM、印字を行う着脱式のヘッドを備えた記録装置内において、
ヘッドが装着されたことを検知する手段。装着されたヘッドのＩＤを検出する手段。検出したＩＤに応じて記録装置内の機能ブロック構成を識別する手段。ヘッドを装着するためのキャリッジポケットを複数個具備する手段。複数のキャリッジポケットのそれぞれに装着されているヘッドのＩＤを取得し、予め記憶領域内に格納されているテーブルを参照して、記録装置のファームが該記録装置の機種を識別する手段。テーブルは１つ或いは複数種のヘッドＩＤと、そのヘッドＩＤを複数あるキャリッジポケットのどのポケットから得たＩＤかをパラメータとしていること。機種情報を基に記録装置内の各機能ブロックの制御の設定を行うこと。記録領域には予め機種ごとの設定情報が格納されていること。ヘッドを装着することで設定を行うモードへの移行方法は複数種類用意されていること。
【発明の効果】
【００１６】
１．異なる機能ブロックが接続されている複数種の機器間でも共通のファームで対応出来、ファームの設定作業を工場の工程で作業者が行う場合も、生産効率の低下、人的コスト抑えることが出来る。
【００１７】
２．ユーザが設定を行う場合はユーザが設定を容易にできるため、ユーザが使用開始に至るまでの時間を短縮できる。また、設定が不備な場合などにコールセンタで対応していた時間を削減することが出来る。
【発明を実施するための最良の形態】
【００１８】
次に、本発明の詳細を実施例の記述に従って説明する。
【００１９】
記録装置では記録スピードや画質で価格が分かれるが、設計上は記録ヘッドや駆動モータなどの機能ブロックの変更で対応する場合が多い。また文字表示を伴うパネルやＦＡＸを具備した装置では、パネルユニットやＮＣＵを仕向け地に合わせて設定する必要がある。
【００２０】
本提案は、ヘッド内のＥＥＰＲＯＭ等にヘッドＩＤが予め書き込まれているヘッドを決められたキャリッジポケットへ取り付け、ファームはヘッド種類と取り付けられたキャリッジポケット位置から、そのファームが実装されている機種を認識し、その機種に合わせたファームの設定を行う。これによりメカやヘッド構成の異なる機種間においても電気基板・ファームを共通に出来、且つ工程での設定の必要がなくなる。
【００２１】
図１に本実施例の基本構成を示す。
【００２２】
１０１は記録装置の動作を制御するＣＰＵである。１０２は記録装置の設定を格納するＥＥＰＲＯＭ、１０３はヘッドを搭載するキャリッジポケット、１０４はＩＤが記録されているヘッドである。
【００２３】
図２は本実施例の概略である。
【００２４】
まず１０１と１０２は図１で説明したＣＰＵ、ＥＥＰＲＯＭである。図１の１０３は更にキャリッジポケットＡ２０２とキャリッジポケットＢ２０３に分けられる。図１の１０４は更にキャリッジポケットの個数分のヘッドに分けられる。即ち２つのヘッドがそれぞれのキャリッジポケットを介してＣＰＵ１０１へ接続される。２０１は記録装置のファームが書き込まれているＲＯＭで、先述のパネル表示や言語テーブルなどが複数格納されている。２０６はネットワークコントロールユニットで、記録装置の仕向け地に応じた設定がされる。２０７はパネルドライバで、ＣＰＵ１０１からのコマンドによりパネル２０９を駆動する。２０８はモータドライバで、ＣＰＵ１０１からのコマンドによりモータ２１０を駆動する。
【００２５】
図３は本実施例のヘッド構成の概略である。
【００２６】
本実施例でのヘッドは電気的なヘッド駆動方法を決定するヘッドＩＤ３０１、インクの吐出量や印字スピードを決定するインクＩＤ３０２、などの情報を記憶したＥＥＰＲＯＭと、印字動作を行うヘッド駆動部とで構成される。
【００２７】
ヘッドＩＤ３０１、インクＩＤ３０２は記録装置により情報が異なるので、装着されたヘッドのこれらの情報から装置の種類を特定できる。
【００２８】
図４を用いて、本実施例でのヘッド識別について説明する。
【００２９】
本実施例ではキャリッジポケットを２つ具備するので、これらのポケットに装着されたヘッドから各々のヘッドＩＤ、インクＩＤを得ることで、記録装置のファームは機種を識別出来る。
【００３０】
テーブル中にはヘッドＩＤとしてＨｂ、Ｈｃがあり、インクＩＤとしてＩｎｋ−ＮとＩｎｋ−Ｐがある。機種によりこれらの組み合わせ、どの組み合わせのヘッドがどちらのキャリッジポケットへ装着されるかを予め決定しておくことで、機種Ａ〜機種Ｄのいずれかが識別出来る。
【００３１】
図５に本実施例のフローチャートを示す。
【００３２】
まず機種を設定するモードへ入る（５０１）。図４で説明した表に従って、機種に応じたヘッドを決められたシャリッジポケットへ装着する（５０２）。ヘッド装着が完了したなら（５０３）、キャリッジポケットＡ及びキャリッジポケットＢに装着されたヘッドのヘッドＩＤ及びインクＩＤを取得する（５０４、５０５）。次に５０４と５０５で得られた情報と図４で説明した手順により機種を識別し（５０６）、結果を記録装置内のＥＥＰＲＯＭ１０２へ記録する（５０７）。機種が決定されたので接続されているパネル（２０７、２０９）、使用するモータ（２０８、２０９）も識別できるので、これらに合わせたファーム上の設定を行う（５０８）。また記録装置の出荷先も分るのでＮＣＵの設定も同様に行う（５０８）。設定作業が完了したら作業者に完了を通知し（５０９）、終了する（５１０）。
【００３３】
以上の制御を行うことで、異なる機能ブロックが接続されている記録装置間においても共通のファームが使用でき、且つ機種設定や仕向け地設定を設定モードに入ってそれらに応じたヘッドを装着することで完了することができるため、工場での生産効率の低下、人的コストを抑えることができる。さらにＦＡＸ付きの場合でも、ヘッドＩＤから仕向け地を識別することができるので、ユーザが購入後に転居した場合にも、その地域のＩＤを持つヘッドを装着することで、その地域に適したＮＣＵ設定が可能となる。
【００３４】
本実施例では機種の設定を行うために設定モードへ入る作業を行ったが、ユーザが行う必要のある項目についてはヘッドを装着するだけで設定を自動的に行う仕様でも同様である。
【００３５】
また本実施例ではヘッドＩＤとインクＩＤとで機種を識別していたが、ＩＤの種類、ヘッドの数は幾つであっても同様である。
【図面の簡単な説明】
【００３６】
【図１】本発明の基本構成を示すブロック図である。
【図２】実施例の概略を示す図である。
【図３】実施例のヘッドの概略を示す図である。
【図４】実施例のＩＤと機種の関係を示す図である。
【図５】実施例のフローチャートである。
【符号の説明】
【００３７】
１０１  ＣＰＵ
１０２  ＥＥＰＲＯＭ
１０３  キャリッジポケット
１０４  記録ヘッド
【図１】
2007083442.tif 000003
【図２】
2007083442.tif 000004
【図３】
2007083442.tif 000005
【図４】
2007083442.tif 000006
【図５】
2007083442.tif 000007